(57)【要約】【課題】フェーズソート法の実施のためにベローズや圧力センサのような検出器を被検体に装着する手間をなくす。【解決手段】被検体の体動情報をナビゲーター・パルスシーケンス（Ｎ)により取得し、その取得した被検体の体動情報に基づいてフェーズソート法による体動位相と位相エンコード量の関係を満足する位相エンコード量（Ｅ）の勾配磁場を印加してｋ空間を埋めるローデータを本スキャン・パルスシーケンス（Ｓ１）により収集する。【効果】ベローズや圧力センサのような検出器を用いずにフェーズソート法を実施できる。【選択図】図５
2008154887.tif 000002
【特許請求の範囲】
【請求項１】
被検体の体動情報をナビゲーター・パルスシーケンスにより取得するナビゲーター手段と、前記ナビゲーター手段により取得した被検体の体動情報に基づきフェーズソート法による体動位相と位相エンコード量の関係を満足する位相エンコード量の勾配磁場を印加してｋ空間を埋めるローデータを本スキャン・パルスシーケンスにより収集する本スキャン手段とを具備したことを特徴とするＭＲＩ装置。
【請求項２】
請求項１に記載のＭＲＩ装置において、前記フェーズソート法が、ローソート法またはハイソート法であることを特徴とするＭＲＩ装置。
【請求項３】
請求項１または請求項２のいずれかに記載のＭＲＩ装置において、前記フェーズソート法では、ナビゲーター手段により取得した被検体の体動情報と本スキャンで選択された位相エンコード量に対応する体動情報とのエラーを記録し、前記本スキャンによりｋ空間を埋める全ビューのローデータを収集した後に予め定められた回数だけスキャンを実施し、前記エラーを軽減することを特徴とするＭＲＩ装置。
【請求項４】
請求項１から請求項３のいずれかに記載のＭＲＩ装置において、前記ナビゲーター手段は、前記本スキャン・パルスシーケンスの繰返時間ＴＲごとに前記体動情報を取得することを特徴とするＭＲＩ装置。
【請求項５】
請求項１から請求項３のいずれかに記載のＭＲＩ装置において、前記本スキャン・パルスシーケンスがマルチスライス撮影のパルスシーケンスであるとき、前記ナビゲーター手段は、予め定めたスライス枚数ごとの撮影直前に前記体動情報を取得することを特徴とするＭＲＩ装置。
【請求項６】
請求項１から請求項５のいずれかに記載のＭＲＩ装置において、前記ナビゲーター・パルスシーケンスは、ラインスキャン型のパルスシーケンスまたは２Ｄ選択励起型のパルスシーケンスまたは位相コントラスト型のパルスシーケンスであることを特徴とするＭＲＩ装置。
【請求項７】
請求項１から請求項６のいずれかに記載のＭＲＩ装置において、前記本スキャン・パルスシーケンスはスキャン中に変更可能な閾値を有し、前記ナビゲーター手段で取得された体動量が閾値で定まる許容範囲内にない場合、ローデータを収集しないことを特徴とするＭＲＩ装置。
【請求項８】
請求項１から請求項７のいずれかに記載のＭＲＩ装置において、前記本スキャン手段は、ナビゲーター・パルスシーケンスと本スキャン・パルスシーケンスの時間差に応じて前記ナビゲーター・パルスシーケンスにより取得した体動情報を補正することを特徴とするＭＲＩ装置。
【請求項９】
請求項１から請求項８のいずれかに記載のＭＲＩ装置において、本スキャン・パルスシーケンスがマルチスライス撮影のパルスシーケンスである場合に、前記ナビゲーター手段は、予め定めたスライス枚数ごとにナビゲーター・パルスシーケンスにより体動情報を取得し、前記本スキャン手段は、ナビゲーター・パルスシーケンスと本スキャン・パルスシーケンスの各スライスの撮影の間の時間差に応じて前記ナビゲーター・パルスシーケンスにより取得した体動情報を補正することを特徴とするＭＲＩ装置。
【請求項１０】
請求項１から請求項９のいずれかに記載のＭＲＩ装置において、前記本スキャン手段は、前記ナビゲーター手段により実測した被検体の体動情報に基づいてスライス位置をシフトすることを特徴とするＭＲＩ装置。
【請求項１１】
請求項１から請求項１０のいずれかに記載のＭＲＩ装置において、前記体動が、呼吸または心臓の拍動による体動であることを特徴とするＭＲＩ装置。
【発明の詳細な説明】
【技術分野】
【０００１】
本発明は、ＭＲＩ（Magnetic Resonance Imaging）装置に関し、さらに詳しくは、ベローズや圧力センサのような検出器を用いずにフェーズソート法（phase sorting method）を実施しうるＭＲＩ装置に関する。
【背景技術】
【０００２】
被検体の体動の１サイクルをｋ−空間の全ビュー数で分割した各体動位相が各ビューの位相エンコード量に順に対応するローソート（low sort）法か、又は、被検体の体動の半サイクルをｋ−空間の奇数番のビュー数で分割した各体動位相が奇数番のビューの位相エンコード量に順に対応し且つ被検体の体動の残りの半サイクルをｋ−空間の偶数番のビュー数で分割した各体動位相が偶数番のビューの位相エンコード量に順に対応するハイソート（high sort）法かのいずれかのパターンで体動位相と位相エンコード量の関係を予め定めておき、ベローズや圧力センサのような検出器を用いて被検体の体動位相を実測し、その体動位相に基づいて先の関係を満足する位相エンコード量の勾配磁場を加えてｋ−空間を埋めるローデータを収集するフェーズソート法が知られている（例えば特許文献１参照。）。
他方、ナビゲーター（navigator）・パルスシーケンスにより被検体の体動位置を検出し、その体動位置に応じてスライス位置をシフトすると共にスライス位置のシフトに合わせて位相エンコード量を制御する技術が知られている（例えば特許文献２参照。）。
また、位相コントラスト型のナビゲーター・パルスシーケンスによって、心拍動の情報を得る技術が知られている（例えば特許文献３参照。）。
【特許文献１】特開昭６２−７９０４７号公報（図７，図１１、第１７頁下右欄）
【特許文献２】特開２００６−２６０７６号公報（請求項２、［００５５］）
【特許文献３】特表２００５−５２８１７５号公報
【発明の開示】
【発明が解決しようとする課題】
【０００３】
特許文献１に記載の従来技術では、検査の際に、体動位相を実測するためのベローズや圧力センサのような検出器を被検体に装着する手間がかかる問題点がある。
他方、特許文献２に記載の従来技術では、フェーズソート法の利点が得られない問題点がある。
そこで、本発明の目的は、ベローズや圧力センサのような検出器を用いずにフェーズソート法を実施しうるＭＲＩ装置を提供することにある。
【課題を解決するための手段】
【０００４】
第１の観点では、本発明は、被検体の体動情報をナビゲーター・パルスシーケンスにより取得するナビゲーター手段と、前記ナビゲーター手段により取得した被検体の体動情報に基づきフェーズソート法による体動位相と位相エンコード量の関係を満足する位相エンコード量の勾配磁場を印加してｋ空間を埋めるローデータを本スキャン・パルスシーケンスにより収集する本スキャン手段とを具備したことを特徴とするＭＲＩ装置を提供する。
上記第１の観点によるＭＲＩ装置では、ナビゲーター・パルスシーケンスにより被検体の体動情報を取得するので、ベローズや圧力センサのような検出器を被検体に装着する手間がかからない。そして、取得した体動情報に基づいてフェーズソート法による体動位相と位相エンコード量の関係を満足する位相エンコード量の勾配磁場を印加するので、フェーズソート法の利点すなわち体動に起因するゴーストの軽減効果が得られる。
【０００５】
第２の観点では、本発明は、前記第１の観点によるＭＲＩ装置において、前記フェーズソート法が、ローソート法またはハイソート法であることを特徴とするＭＲＩ装置を提供する。
上記第２の観点によるＭＲＩ装置では、ナビゲーター・パルスシーケンスにより被検体の体動情報を取得するので、ベローズや圧力センサのような検出器を被検体に装着する手間がかからない。そして、取得した体動情報に基づいてローソート法またはハイソート法による体動位相と位相エンコード量の関係を満足する位相エンコード量の勾配磁場を印加するので、ローソート法またはハイソート法の利点すなわち体動に起因するゴーストの軽減効果が得られる。
【０００６】
第３の観点では、本発明は、前記第１または前記第２の観点によるＭＲＩ装置において、前記フェーズソート法では、ナビゲーター手段により取得した被検体の体動情報と本スキャンで選択された位相エンコード量に対応する体動情報とのエラーを記録し、前記本スキャンによりｋ空間を埋める全ビューのローデータを収集した後に予め定められた回数だけスキャンを実施し、前記エラーを怪減することを特徴とするＭＲＩ装置を提供する。
上記第３の観点によるＭＲＩ装置では、本スキャン実施時に発生したエラーが追加スキャンによって軽減され、フェーズソート法の利点すなわち体動に起因するゴーストの軽減効果が増す。
【０００７】
第４の観点では、本発明は、前記第１から前記第３のいずれかの観点によるＭＲＩ装置において、前記ナビゲーター手段は、前記本スキャン・パルスシーケンスの繰返時間ＴＲごとに前記体動情報を取得することを特徴とするＭＲＩ装置を提供する。
上記第４の観点によるＭＲＩ装置では、ナビゲーター・パルスシーケンスを本スキャン・パルスシーケンスの前に実施することで、各繰返時間ＴＲごとに取得する位相エンコード量を適正に設定できる。
【０００８】
第５の観点では、本発明は、前記第１から前記第３のいずれかの観点によるＭＲＩ装置において、前記本スキャン・パルスシーケンスがマルチスライス撮影のパルスシーケンスであるとき、前記ナビゲーター手段は、予め定めたスライス枚数ごとの撮影直前に前記体動情報を取得することを特徴とするＭＲＩ装置を提供する。
上記第５の観点によるＭＲＩ装置では、例えば「１枚ごと」と予め定めておけば各スライスの直前ごとに被検体の体動情報を取得できる。また、例えば「２枚ごと」と予め定めておけば奇数番スライスの直前ごとに被検体の体動情報を取得できると共にナビゲーター・パルスシーケンスの回数（つまり所要時間）を節減できる。
【０００９】
第６の観点では、本発明は、前記第１から前記第５のいずれかの観点によるＭＲＩ装置において、前記ナビゲーター・パルスシーケンスは、ラインスキャン型のパルスシーケンスまたは２Ｄ選択励起型のパルスシーケンスまたは位相コントラスト型のパルスシーケンスであることを特徴とするＭＲＩ装置を提供する。
上記第６の観点によるＭＲＩ装置では、既存のナビゲーター技術を利用して横隔膜の動きや心拍動を好適に検出できる。
【００１０】
第７の観点では、本発明は、前記第１から前記第６の観点によるＭＲＩ装置において、前記本スキャン・パルスシーケンスはスキャン中に変更可能な閾値を有し、前記ナビゲーター手段で取得された体動量が閾値で定まる許容範囲内にない場合、ローデータを収集しないことを特徴とするＭＲＩ装置を提供する。
上記第７の観点によるＭＲＩ装置では、本スキャン実施時に発生した、深呼吸等の通常と異なる体動時のデータを除外するので、異常な体動に起因するゴーストの軽減効果が得られる。
【００１１】
第８の観点では、本発明は、前記第１から第７のいずれかの観点によるＭＲＩ装置において、前記本スキャン手段は、ナビゲーター・パルスシーケンスと本スキャン・パルスシーケンスの時間差に応じて前記ナビゲーター・パルスシーケンスにより取得した体動情報を補正することを特徴とするＭＲＩ装置を提供する。
上記第８の観点によるＭＲＩ装置では、ナビゲーター・パルスシーケンスと本スキャン・パルスシーケンスの時間差が大きい場合でも、体動位相と位相エンコード量の関係を適正に満足させることが出来る。
【００１２】
第９の観点では、本発明は、前記第１から第８のいずれかの観点によるＭＲＩ装置において、本スキャン・パルスシーケンスがマルチスライス撮影のパルスシーケンスである場合に、前記ナビゲーター手段は、予め定めたスライス枚数ごとにナビゲーター・パルスシーケンスにより体動情報を取得し、前記本スキャン手段は、ナビゲーター・パルスシーケンスと本スキャン・パルスシーケンスの各スライスの撮影の間の時間差に応じて前記ナビゲーター・パルスシーケンスにより取得した体動情報を補正することを特徴とするＭＲＩ装置を提供する。
上記第９の観点によるＭＲＩ装置では、ナビゲーター・パルスシーケンスと本スキャン・パルスシーケンスの各スライスの撮影の間の時間差が大きい場合でも、体動位相と位相エンコード量の関係を適正に満足させることが出来る。
【００１３】
第１０の観点では、本発明は、前記第１から前記第９のいずれかの観点によるＭＲＩ装置において、前記本スキャン手段は、前記ナビゲーター手段により実測した被検体の体動情報に基づきスライス位置をシフトすることを特徴とするＭＲＩ装置を提供する。
上記第１０の観点によるＭＲＩ装置では、フェーズソート法の利点すなわち体動に起因するゴーストの軽減効果に加えて、被検体の所望部位の動きにスライス位置を追従させることが出来る。
【００１４】
第１１の観点では、本発明は、前記第１から前記第１０のいずれかの観点によるＭＲＩ装置において、前記体動が、呼吸または心臓の拍動による体動であることを特徴とするＭＲＩ装置を提供する。
上記第１１の観点によるＭＲＩ装置では、呼吸に起因するゴーストまたは心臓の拍動に起因するゴーストを軽減することが出来る。
【発明の効果】
【００１５】
本発明のＭＲＩ装置によれば、ベローズや圧力センサのような検出器を用いずにフェーズソート法を実施することが出来る。
【発明を実施するための最良の形態】
【００１６】
以下、図に示す実施の形態により本発明をさらに詳細に説明する。なお、これにより本発明が限定されるものではない。
【実施例１】
【００１７】
図１は、実施例１に係るＭＲＩ装置１００の機能構成を示すブロック図である。
このＭＲＩ装置１００において、マグネットアセンブリ１は、内部に被検体を挿入するための空間部分（ボア）を有し、この空間部分を取りまくようにして、Ｘ軸勾配磁場を形成するＸ軸勾配コイル１Ｘと、Ｙ軸勾配磁場を形成するＹ軸勾配コイル１Ｙと、Ｚ軸勾配磁場を形成するＺ軸勾配コイル１Ｚと、被検体内の原子核のスピンを励起するためのＲＦパルスを与える送信コイル１Ｔと、被検体からのＮＭＲ信号を検出する受信コイル１Ｒと、静磁場を形成する永久磁石対１Ｍとを具備している。
なお、永久磁石対１Ｍの代わりに超電導マグネットを用いてもよい。
【００１８】
Ｘ軸勾配コイル１ＸはＸ軸勾配コイル駆動回路３Ｘに接続され、Ｙ軸勾配コイル１ＹはＹ軸勾配コイル駆動回路３Ｙに接続され、Ｚ軸勾配コイル１ＺはＺ軸勾配コイル駆動回路３Ｚに接続され、送信コイル１ＴはＲＦ電力増幅器４に接続されている。
Ｘ軸勾配コイル駆動回路３ＸはＸ軸グラジエントアンプを含み、Ｙ軸勾配コイル駆動回路３ＹはＹ軸グラジエントアンプを含み、Ｚ軸勾配コイル駆動回路３ＺはＺ軸グラジエントアンプを含み、ＲＦ電力増幅器４はＲＦアンプを含んでいる。
【００１９】
シーケンス記憶回路８は、計算機７からの指令に従い、記憶しているパルスシーケンスに基づいて勾配コイル駆動回路３Ｘ，３Ｙ，３Ｚを操作し、勾配コイル１Ｘ，１Ｙ，１Ｚから勾配磁場を発生させると共に、ゲート変調回路９を操作し、ＲＦ発振回路１０の搬送波出力信号を所定タイミング・所定包絡線形状・所定位相のパルス状信号に変調し、それをＲＦパルスとしてＲＦ電力増幅器４に加え、ＲＦ電力増幅器４でパワー増幅した後、送信コイル１Ｔに印加する。
【００２０】
受信コイル１Ｒは、前置増幅器５に接続されている。
前置増幅器５は、受信コイル１Ｒで受信された被検体からのＮＭＲ信号を増幅し、位相検波器１２に入力する。位相検波器１２は、ＲＦ発振回路１０の出力する参照信号により前置増幅器５からのＮＭＲ信号を位相検波して、ＡＤ変換器１１に与える。ＡＤ変換器１１は、位相検波後のアナログ信号をデジタルデータに変換して、計算機７に入力する。
【００２１】
計算機７は、操作卓１３から入力された情報を受け取るなどの全体的な制御を受け持つと共に、ＡＤ変換器１１からデジタルデータを読み込み、演算処理を行って画像を生成し、その画像やメッセージを表示装置６に表示する。
計算機７は、ＣＰＵおよびメモリを含んでいる。
【００２２】
図２は、ＭＲＩ装置１００によるローデータ収集処理の手順を示すフロー図である。
ステップＷ１では、ナビゲータ・パルスシーケンスにより例えば図３に示すような被検体の周期的体動Ｉ(ｔ)を実測する。ナビゲータ・パルスシーケンスは、９０度パルスと１８０度パルスを交差させるラインスキャン型のものや２Ｄ選択励起型など公知のパルスシーケンスを利用すればよい。
【００２３】
ステップＷ２では、実測した被検体の周期的体動Ｉ(ｔ)を基に、例えば、図４に示すように、周期的体動Ｉ(ｔ)の１サイクルをｋ空間の位相エンコード数で分割する。分割された各区間で、体動量Ｉの最小値Ｉmin・最大値Ｉmaxおよび周期的体動Ｉ(ｔ)を時間微分した区間中心における微分値ｄの対にｋ空間の位相エンコード軸を対応させ、各ビューｖに対応する体動量Ｉの最小値・最大値および微分値ｄの対に当該ビューｖの位相エンコード量Ｅ(ｖ)を対応付ける。
【００２４】
ステップＷ３では、図５に示すように、スライスＳ１を撮影するために繰返時間ＴＲごとに繰り返される本スキャン・パルスシーケンスの直前にナビゲータ・パルスシーケンスＮを実施して体動量Ｉおよび微分値ｄの対を取得する。
なお、微分値ｄは、過去の体動量Ｉを記憶しておいて現在の体動量Ｉまでの時間変化として求めてもよいし、繰返時間ＴＲごとに繰り返される本スキャン・パルスシーケンスの直前にナビゲータ・パルスシーケンスＮを複数回連続して実施して求めてもよい。
【００２５】
ステップＷ４では、取得した体動量Ｉおよび微分値ｄの対に基づき、収集する位相エンコード量Ｅ(ｖ)を決定する。例えば、体動量Ｉが当該ビューに対応する体動量Ｉの区間に存在し、微分値ｄの符号が当該ビューに対応する微分値の符号と等しい位相エンコード量Ｅ(ｖ)を求める。微分値ｄが０であった場合、体動量Ｉに基づき収集する位相エンコード量Ｅ(ｖ)を決定する。求められた位相エンコード量Ｅ(ｖ)によってすでにデータが収集されていた場合は、まだ収集されていない位相エンコード量Ｅ(ｖ)の中から、微分値ｄの符号が同じで体動量Ｉが最も近い位相エンコード量Ｅ(ｖ)を選択する。微分値ｄの符号が同じ位相エンコード量Ｅ(ｖ)が全て収集されている場合は、まだ収集されていない位相エンコード量Ｅ(ｖ)の中から、体動量Ｉが最も近い位相エンコード量Ｅ(ｖ)を選択する。こうして得られた位相エンコード量Ｅ(ｖ)を印加した本スキャン・パルスシーケンスによりローデータＲ(ｖ)を収集する。
【００２６】
ステップＷ５では、ｋ空間を埋める全ビューのローデータを収集するまでステップＷ３，Ｗ４を繰り返し、ｋ空間を埋める全ビューのローデータを収集できたら終了する。
【００２７】
実施例１のＭＲＩ装置１００によれば、ナビゲーター・パルスシーケンスＮにより被検体の体動情報を取得するので、ベローズや圧力センサのような検出器を被検体に装着する手間がかからない。そして、取得した体動情報に基づいてローソート法による体動位相と位相エンコード量の関係を満足する位相エンコード量の勾配磁場を印加するので、ローソート法によるゴースト軽減効果が得られる。
【実施例２】
【００２８】
図２のステップＷ２において、図６に示すように、周期的体動Ｉ(ｔ)の半サイクルの体動量Ｉの最小値・最大値および微分値ｄの符号の対にｋ空間の位相エンコード軸を対応させ、奇数番の各ビューｖに対応する体動量Ｉの最小値・最大値および微分値ｄの符号の対に当該ビューｖの位相エンコード量Ｅ(ｖ)を対応付けると共に、図７に示すように、周期的体動Ｉ(ｔ)の残りの半サイクルの体動量Ｉの最小値・最大値および微分値ｄの符号に同様に偶数番の各ビューｖに対応する位相エンコード量Ｅ(ｖ)を対応付ければ、ハイソート法によるゴースト軽減効果が得られる。
【実施例３】
【００２９】
図８は、実施例３に係るローデータ収集処理の手順を示すフロー図である。
ステップＱ１では、ナビゲータ・パルスシーケンスにより例えば図３に示すような被検体の周期的体動Ｉ(ｔ)を実測する。ナビゲータ・パルスシーケンスは、９０度パルスと１８０度パルスを交差させるラインスキャン型のものや２Ｄ選択励起型など公知のパルスシーケンスを利用すればよい。
【００３０】
ステップＱ２では、実測した被検体の周期的体動Ｉ(ｔ)を基に、例えば、図９に示すように、周期的体動Ｉ(ｔ)の１サイクルをｋ空間の位相エンコード数で分割する。分割された各区間で、体動量Ｉの最小値・最大値にｋ空間の位相工ンコード軸を対応させ、各ビューｖに対応する体動量Ｉの最小値・最大値に当該ビューｖの位相エンコード量Ｅ(ｖ)を対応付ける。なお、図９に示すように、１つの体動量Ｉｅに２つのビューｖ，ｖ’の位相エンコード量Ｅ(ｖ)，Ｅ(ｖ’)が対応付けられる場合もありうる。
【００３１】
ステップＱ３では、図１０に示すように、スライスＳ１を撮影するために繰返時間ＴＲごとに繰り返される本スキャン・パルスシーケンスの直前にナビゲータ・パルスシーケンスＮを実施して体動量Ｉを取得する。
【００３２】
ステップＱ４では、取得した体動量Ｉに基づき、収集する位相エンコード量Ｅ(ｖ)を決定する。求められた位相エンコード量Ｅ(ｖ)によってすでにデータが収集されていた場合は、まだ収集されていない位相エンコード量Ｅ(ｖ)の中から、体動量Ｉが最も近い位相エンコード量Ｅ(ｖ)を決定する。図１０に示すように、取得した体動量Ｉｅに対応付けた位相エンコード量がＥ(ｖ)，Ｅ(ｖ’)と２つあって、いずれも収集されていない場合、いずれか一方の位相エンコード量Ｅ(ｖ)を決定する。こうして得られた位相エンコード量Ｅ(ｖ)を印加した本スキャン・パルスシーケンスによりローデータＲ(ｖ)を収集する。
【００３３】
ステツプＱ５では、ステップＱ３でナビゲーター・パルスシーケンスにより取得された体動量Ｉと、ステップＱ４で収集された位相エンコード量Ｅ(ｖ)に対応する体動量Ｉとの差分をエラーとして記録する。ここで、収集された位相エンコード量Ｅ(ｖ)に対応する体動量Ｉは、例えば当該ビューに対応する体動量Ｉの最小値および最大値の平均値とする。
【００３４】
ステップＱ６では、ｋ空間を埋める全ビューのローデータを収集するまでステップＱ３〜Ｑ５を繰り返し、ｋ空間を埋める全ビューのローデータを収集できたら終了する。
【００３５】
ステップＱ７では、ステップＱ３と同様に、スライスＳ１を撮影するために繰返時間ＴＲごとに繰り返される本スキャン・パルスシーケンスの直前にナビゲーター・パルスシーケンスＮを実施して体動量Ｉを取得する。
【００３６】
ステップＱ８では、取得した体動量Ｉに基づき、収集する位相エンコード量Ｅ(ｖ)を決定する。ここで、位相エンコード量Ｅ(ｖ)を印加してデータを収集した結果生じるナビゲーター・パルスシーケンスにより取得された体動量Ｉと当該ビューに対応する体動量とのエラーが、当該ビューにおいてステップＱ５で記録されたエラーより小さくなるように、位相エンコード量Ｅ(ｖ)を選択する。決定した位相エンコード量Ｅ(ｖ)を印加したパルスシーケンスによりローデータＲ(ｖ)を収集し、ステップＱ４で取得したローデータＲ(ｖ)を置き換える。ただし、エラーが小さくなるような位相エンコード量Ｅ(ｖ)が存在しなかった場合は、ローデータＲ(ｖ)を置き換えない。
【００３７】
ステップＱ９では、予め定められた回数だけステップＱ７，Ｑ８を繰り返し、予め定められた回数に達したらデータ収集を終了する。
【００３８】
実施例３のＭＲＩ装置によれば、ナビゲーター・パルスシーケンスＮにより被検体の体動情報を取得するので、ベローズや圧力センサのような検出器を被検体に装着する手間がかからない。そして、取得した体動情報に基づいてローソート法による体動位相と位相エンコード量の関係を満足する位相エンコード量の勾配磁場を印加するので、ローソート法によるゴースト軽減効果が得られる。また、追加したスキャンにより、本スキャン時に生じたエラーを抑制するので、ゴースト軽減効果が増す。
【実施例４】
【００３９】
図８のステップＱ２において、図１１に示すように、周期的体動Ｉ(ｔ)の半サイクルの体動量Ｉにｋ空間の位相エンコード軸を対応させ、奇数番の各ビューｖに対応する体動量Ｉに当該ビューｖの位相エンコード量Ｅ(ｖ)を対応付けると共に、図１２に示すように、周期的体動Ｉ(ｔ)の残りの半サイクルの体動量Ｉに同様に偶数番の各ビューｖに対応する位相エンコード量Ｅ(ｖ)を対応付ければ、ハイソート法によるゴースト軽減効果が得られる。また、追加したスキャンにより、本スキャン時に生じたエラーを抑制するので、ゴースト軽減効果が増す。
【実施例５】
【００４０】
本スキャン・パルスシーケンスがマルチスライス撮影のパルスシーケンスである場合に、図１３に示すように、各スライスＳ１，Ｓ２，Ｓ３の撮影直前にナビゲーター・パルスシーケンスＮにより被検体の体動情報を取得してもよい。
【実施例６】
【００４１】
本スキャン・パルスシーケンスがマルチスライス撮影のパルスシーケンスである場合に、図１４に示すように、予め定めた複数のスライス枚数ごとの撮影直前にナビゲーター・パルスシーケンスＮにより被検体の体動情報を取得してもよい。
【実施例７】
【００４２】
本スキャン・パルスシーケンスにおいて、図１５に示すようにナビゲーター・パルスシーケンスによって取得された体動量が閾値で定まる許容範囲内にない場合、ローデータを収集しなくてもよい。例えば、閾値の初期値はナビゲーター・パルスシーケンスにより周期的体動を実測した際の体動量の最小値・最大値とし、本スキャン中の呼吸に応じて操作卓１３上から閾値を変更してもよい。
【実施例８】
【００４３】
ナビゲーター・パルスシーケンスＮと本スキャン・パルスシーケンスの時間差による位相のずれを体動情報に基づいて計算し、ナビゲーター・パルスシーケンスＮにより取得した体動情報を補正し、補正した体動情報に基づいて位相エンコード量を決めてもよい。
例えば、本スキャン・パルスシーケンスがマルチスライス撮影のパルスシーケンスである場合に、繰返時間ＴＲごとにナビゲーター・パルスシーケンスＮにより体動情報を取得し、ナビゲーター・パルスシーケンスＮと本スキャン・パルスシーケンスの各スライスの撮影の間の時間差による位相のずれを体動情報に基づいてそれぞれ計算し、ナビゲーター・パルスシーケンスＮにより取得した体動情報をそれぞれ補正し、補正した各体動情報に対応する各位相エンコード量の勾配磁場を各スライスの撮影時に印加するようにしてもよい。
【実施例９】
【００４４】
ナビゲーター・パルスシーケンスＮにより実測した被検体の体動量に応じて、スライス位置をシフトしてもよい。
【産業上の利用可能性】
【００４５】
本発明のＭＲＩ装置は、体動に起因するゴーストをフェーズソート法により軽減するのに利用できる。
【図面の簡単な説明】
【００４６】
【図１】実施例１に係るＭＲＩ装置の機能構成を示すブロック図である。
【図２】実施例１に係るローデータ収集処理を示すフロー図である。
【図３】実測した周期的体動を示す概念図である。
【図４】体動量および微分値とビューおよび位相エンコード量のローソート法による対応関係を示す概念図である。
【図５】繰返時間ＴＲごとにナビゲーター・パルスシーケンスにより体動情報を取得する例を示す概念図である。
【図６】体動量および微分値と奇数番のビューおよび位相エンコード量のハイソート法による対応関係を示す概念図である。
【図７】体動量および微分値と偶数番のビューおよび位相エンコード量のハイソート法による対応関係を示す概念図である。
【図８】実施例３に係るローデータ収集処理を示すフロー図である。
【図９】体動量とビューおよび位相エンコード量のローソート法による対応関係を示す概念図である。
【図１０】同じ体動量に対応する２つの位相エンコード量の選択方法を示す概念図である。
【図１１】体動量と奇数番のビューおよび位相エンコード量のハイソート法による対応関係を示す概念図である。
【図１２】体動量と偶数番のビューおよび位相エンコード量のハイソート法による対応関係を示す概念図である。
【図１３】スライス撮影直前ごとにナビゲーター・パルスシーケンスにより体動位相を取得する例を示す概念図である。
【図１４】スライスの複数枚の撮影直前ごとにナビゲーター・パルスシーケンスにより体動位相を取得する例を示す概念図である。
【図１５】閾値を越えた場合にローデータの収集を行わない例を示す概念図である。
【符号の説明】
【００４７】
１００          ＭＲＩ装置
ｄ              体動位相の時間微分値
Ｅ              位相エンコード量
Ｉ              体動位相
Ｎ              ナビゲーター・パルスシーケンス
Ｓ１〜Ｓ３      各スライスの本スキャン・パルスシーケンス
ｖ              ビュー
【図１】
2008154887.tif 000003
【図２】
2008154887.tif 000004
【図３】
2008154887.tif 000005
【図４】
2008154887.tif 000006
【図５】
2008154887.tif 000007
【図６】
2008154887.tif 000008
【図７】
2008154887.tif 000009
【図８】
2008154887.tif 000010
【図９】
2008154887.tif 000011
【図１０】
2008154887.tif 000012
【図１１】
2008154887.tif 000013
【図１２】
2008154887.tif 000014
【図１３】
2008154887.tif 000015
【図１４】
2008154887.tif 000016
【図１５】
2008154887.tif 000017